(57)【要約】【課題】  光の照射に関して改良された照光部を備えた集塵装置を提供する。【解決手段】  先端工具１１９を駆動させて被加工材に所定の加工作業を行う作業工具１００に取り付けられ、加工作業により発生する粉塵を集塵する集塵装置であって、先端工具１１９の先端部に配置される集塵部２０３と、作業工具１００に着脱可能に装着される集塵本体部２０１と、集塵部２０３と集塵本体部２０１を連結する連結部２０５と、所定の作業領域を照らす照光部２４０と、を有し、照光部２４０は、集塵部２０３よりも集塵本体部２０１側において、当該集塵装置の外表面に配置されている。【選択図】  図１
2014231128.tif 000002
【特許請求の範囲】
【請求項１】
先端工具を駆動させて加工作業を行う作業工具に着脱可能に取り付けられる集塵装置であって、
先端工具の先端に対応する領域に配置される集塵部と、
前記作業工具に着脱可能に取り付けられる集塵本体部と、
前記集塵部と前記集塵本体部を連結する連結部と、
前記作業工具に取り付けられた状態で所定の作業領域を照らす照光部と、を有し、
前記照光部は、前記集塵部よりも前記集塵本体部側において、当該集塵装置の外表面に配置されていることを特徴とする集塵装置。
【請求項２】
請求項１に記載の集塵装置であって、
前記集塵部は、前記集塵本体部が前記作業工具に取り付けられた状態で、前記先端工具の駆動軸が延在する第１方向に移動可能に構成されており、
前記照光部は、前記第１方向に関して、前記集塵部が前記集塵本体部から最も離間した状態において、前記作業領域としての前記集塵部の前記集塵本体部とは反対側の領域を照射可能に構成されていることを特徴とする集塵装置。
【請求項３】
請求項１または２に記載の集塵装置であって、
前記照光部は、複数の照光要素で構成されるとともに、当該複数の照光要素から照射される光の、それぞれの照射経路が前記集塵部を挟むように構成されていることを特徴とする集塵装置。
【請求項４】
請求項３に記載の集塵装置であって、
複数の前記照光要素を連結する連結部材を有し、
複数の前記照光要素と前記連結部材がアッセンブリ構造体を構成し、
前記集塵本体部に対して、前記アッセンブリ構造体が着脱可能に装着されるように構成されていることを特徴とする集塵装置。
【請求項５】
請求項３または４に記載の集塵装置であって、
モータと、
前記モータによって駆動される集塵ファンと、
前記集塵ファンによって前記集塵部を介して移送された粉塵を収容する粉塵収容部と、を有し、
前記集塵本体部は、前記モータと前記集塵ファンと前記粉塵収容部を収容しており、
複数の前記照光要素は、前記先端工具の駆動軸が延在する第１方向に直交する第２方向に交差する前記集塵本体部の表面に配置されていることを特徴とする集塵装置。
【請求項６】
請求項５に記載の集塵装置であって、
前記照光部から照射される光は、前記モータの駆動に基づいて制御されるように構成されていることを特徴とする集塵装置。
【請求項７】
請求項１〜６のいずれか１項に記載の集塵装置であって、
前記照光部から照射される光は、前記集塵本体部が前記作業工具に取り付けられた状態で、前記作業工具の動作に基づいて制御されるように構成されていることを特徴とする集塵装置。
【請求項８】
請求項７に記載の集塵装置であって、
先端工具の駆動を開始する前の、作業者による前記作業工具に対する操作に基づいて前記照光部から光が照射されるように構成されていることを特徴とする集塵装置。
【請求項９】
請求項７または８に記載の集塵装置であって、
先端工具の駆動が停止して所定時間経過後に前記照光部からの光の照射が停止されるように構成されていることを特徴とする集塵装置。
【請求項１０】
請求項１〜９のいずれか１項に記載の集塵装置を備えた作業工具であって、
前記作業工具は、先端工具が回転されて被加工材に穴明け加工を行うように構成されていることを特徴とする穴明け作業工具。
【発明の詳細な説明】
【技術分野】
【０００１】
本発明は、作業工具の作業時に発生した粉塵を集塵する集塵装置に関する。
【背景技術】
【０００２】
特開２０１１−２２４７５４号公報は、穴明け作業時に発生した粉塵を集塵する集塵装置を備えたハンマドリルを開示している。このハンマドリルに装着された集塵装置は、工具ビットの先端周りを取り囲む集塵部を有し、当該集塵部の先端を被加工材に押し付け、穴明け作業時に発生する粉塵を吸引処理する構成である。また、集塵装置は、照明装置を備えており、穴明け作業を行う際に、工具ビット前方の作業領域を照明装置により照らして工具ビットの被加工材に対する位置決め作業を容易化し、作業性の向上を図っている。
【先行技術文献】
【特許文献】
【０００３】
【特許文献１】特開２０１１−２２４７５４号公報
【発明の概要】
【発明が解決しようとする課題】
【０００４】
特開２０１１−２２４７５４号公報に記載の集塵装置は、集塵部の先端に照明装置を配置した構成であり、被加工材に向けて工具ビットを移動させて被加工材に対する位置決め作業を行うまでの、穴明け作業の準備段階で作業領域を照らすようにしたものである。すなわち、特開２０１１−２２４７５４号公報に記載の照明装置は、集塵部の先端を被加工材に押し付けた状態で行う穴明け作業中には、作業領域を照らすものではなく、作業領域の照射技術に改善の余地がある。
【０００５】
本発明は、上記に鑑みてなされたものであり、作業領域の照射技術の向上に有効な集塵装置を提供することを目的とする。
【課題を解決するための手段】
【０００６】
上記課題を達成するため、本発明に係る集塵装置の好ましい形態によれば、先端工具を駆動させて加工作業を行う作業工具に着脱可能に取り付けられる集塵装置が構成される。集塵装置は、先端工具の先端に対応する領域に配置される集塵部と、作業工具に着脱可能に取り付けられる集塵本体部と、集塵部と集塵本体部を連結する連結部と、作業工具に取り付けられた状態で所定の作業領域を照らす照光部と、を有する。照光部は、集塵部よりも集塵本体部側において、当該集塵装置の外表面に配置されている。なお、本発明における「先端工具の先端に対応する領域に配置される」とは、典型的には先端工具につき、当該先端工具の駆動軸周りに包囲するように配置される態様をいう。また、本発明における「集塵装置の外表面に配置される」とは、照光部から照射される光の照射部分が、集塵装置の外表面に対して概ね面一となるように配置される態様、あるいは集塵装置の外表面から突出した状態で配置される態様のいずれも包含する。
【０００７】
本発明によれば、所定の作業領域を照らす照光部を、集塵部よりも集塵本体部側において、当該集塵装置の外表面に配置される構成としている。このような構成によれば、作業工具に集塵装置を装着して加工作業を行う場合において、集塵装置の外表面から照光部の光を集塵部の外側を通って作業領域に照射することが可能となり、加工作業の作業性を向上することができる。
【０００８】
本発明に係る集塵装置の更なる形態によれば、集塵部は、集塵本体部が作業工具に取り付けられた状態で、先端工具の駆動軸が延在する第１方向に移動可能に構成されており、照光部は、第１方向に関して、集塵部が集塵本体部から最も離間した状態において、作業領域としての集塵部の集塵本体部とは反対側の領域を照射可能に構成されている。
この形態によれば、照光部は、第１方向に関して、集塵部が集塵本体部から最も離間した状態で、作業領域としての集塵部の集塵本体部とは反対側の領域を照らす構成としたことにより、作業開始にあたって作業領域を適正に照射することができる。
【０００９】
本発明に係る集塵装置の更なる形態によれば、照光部は、複数の照光要素で構成されるとともに、当該複数の照光要素から照射される光の、それぞれの照射経路が集塵部を挟むように構成されている。
この形態によれば、複数の照光要素から照射される光の照射経路が集塵部を挟む構成のため、集塵部の影を減少することが可能となり、作業領域に関する照射範囲を拡大し、あるいは作業領域を一層明るくすることが可能となる。
【００１０】
本発明に係る集塵装置の更なる形態によれば、複数の照光要素を連結する連結部材を有し、複数の照光要素と連結部材がアッセンブリ構造体を構成している。そして、集塵本体部に対して、アッセンブリ構造体が着脱可能に装着されるように構成されている。
この形態によれば、複数の照光要素を連結部材により相互に連結してアッセンブリ構造体を構成したことにより、集塵本体部への組付けの容易化が可能となり、組付け性を向上することができる。
【００１１】
本発明に係る集塵装置の更なる形態によれば、モータと、モータによって駆動される集塵ファンと、集塵ファンによって集塵部を介して移送された粉塵を収容する粉塵収容部と、を有し、そして集塵本体部は、モータと集塵ファンと粉塵収容部を収容する。複数の照光要素は、先端工具の駆動軸が延在する第１方向に直交する第２方向に交差する集塵本体部の表面に配置されている。なお、この形態における第１方向を、例えば「前後方向」とし、第２方向を「上下方向」とすれば、第２方向に交差する集塵本体部の表面が「側面」に相当する。
この形態によれば、複数の照光要素を、先端工具の駆動軸が延在する第１方向に直交する第２方向に交差する集塵本体部の表面に配置したので、集塵部の影を減ずる上で有効となる。
【００１２】
本発明に係る集塵装置の更なる形態によれば、照光部から照射される光は、モータの駆動に基づいて制御されるように構成されている。なお、この形態における「モータの駆動に基づいて制御される」とは、モータの駆動と同時に照射を開始し、モータの停止と同時に照射を停止する態様、あるいはモータの駆動に先行して照射を開始し、モータの停止に遅れて照射を停止する態様のいずれでも差支えない。
この形態によれば、照光部から照射される光は、モータの駆動に基づいて制御される構成としたことにより、照光部とモータの電気的な接続に関して、作業工具から独立した形で集塵装置内での配線の取り回しを行うことができるとともに、照射の開始および照射の停止を操作するための専用操作部材が不要となる。
【００１３】
本発明に係る集塵装置の更なる形態によれば、照光部から照射される光は、集塵本体部が作業工具に取り付けられた状態で、作業工具の動作に基づいて制御されるように構成されている。なお、この形態における「作業工具の動作に基づいて制御される」とは、作業工具の作動と同時に照射し、作業工具の停止と同時に照射を停止する態様、あるいは作業工具の作動に先行して照射を開始し、作業工具の停止に遅れて照射を停止する態様のいずれでも差支えない。
この形態によれば、照光部から照射される光は、作業工具の動作に基づいて制御される構成としたことにより、照射の開始および照射の停止を操作するための専用操作部材が不要となる。
【００１４】
本発明に係る集塵装置の更なる形態によれば、先端工具の駆動を開始する前の、作業者による作業工具に対する操作に基づいて照射部から光が照射されるように構成されている。
この形態によれば、先端工具の駆動を開始する前に照光部から光が照射されるので、例えば、穴明け作業に際しての先端工具の位置決めのような準備作業を行うときに有効となる。
【００１５】
本発明に係る集塵装置の更なる形態によれば、先端工具の駆動が停止して所定時間経過後に照射部からの光の照射が停止されるように構成されている。
この形態によれば、先端工具の停止後に、作業状況を確認するときに有効となる。
【００１６】
本発明の別の形態によれば、請求項１〜９のいずれか１項に記載の集塵装置を備えた作業工具が構成される。作業工具は、先端工具が回転されて被加工材に穴明け加工を行う穴明け作業工具として構成される。
この形態によれば、照光部の光を集塵装置の外表面から集塵部の外側を通って所定の作業領域に照射する可能な穴明け作業工具を提供することができる。
【発明の効果】
【００１７】
本発明によれば、作業領域の照射技術の向上に有効な集塵装置が提供されることとなった。
【図面の簡単な説明】
【００１８】
【図１】本発明の実施形態に係る集塵装置を備えたバッテリ式ハンマハンマの全体構成を示す側断面図である。
【図２】集塵装置の全体構成を示す側面図である。
【図３】集塵装置の全体構成を示す平面図である。
【図４】集塵装置の全体構成を示す前方から見た正面図である。
【図５】集塵装置の全体構成を示す断面図である。
【図６】図５のＡ−Ａ線断面図である。
【図７】アッセンブリ構造体を示す斜視図である。
【図８】アッセンブリ構造体を示す平面図である。
【図９】アッセンブリ構造体を示す正面図である。
【図１０】アッセンブリ構造体を示す右側面図である。
【図１１】電動モータ、集塵モータおよび照明装置の電気回路図である。
【発明を実施するための最良の形態】
【００１９】
以下、本発明の第１の実施形態につき、図１〜図１１を参照しつつ詳細に説明する。図１には作業工具の一例としてのバッテリ式のハンマドリル１００、当該ハンマドリル１００に装着された穴明け作業用の集塵装置２００が示されている。まず、図１を参照してバッテリ式のハンマドリル１００につき説明する。電動式のハンマドリル１００は、ハンマビット１１９を装着し、装着されたハンマビット１１９を長軸方向に打撃動作および長軸方向回りに回転動作させて、被加工材に対して穴明けやハツリ等の加工を行う作業工具である。このハンマビット１１９が、本発明における「先端工具」に対応する。
【００２０】
ハンマドリル１００は、概括的に見て、ハンマドリル１００の外郭を形成する工具本体としての本体部１０１を主体として構成される。本体部１０１の先端領域には、ハンマビット１１９が筒状のツールホルダ１５９を介して着脱自在に取付けられる。ハンマビット１１９は、ツールホルダ１５９のビット挿入孔内に挿入され、その長軸方向への相対的な往復動が可能に、かつその周方向への相対的な回動が規制された状態で保持される。
【００２１】
本体部１０１は、電動モータ１１０を収容するモータハウジング１０３と、運動変換機構１２０、打撃要素１４０および動力伝達機構１５０を収容するギアハウジング１０５を主体として構成される。なお、ハンマビット１１９の長軸方向に関して本体部１０１のハンマビット１１９と反対側には、作業者が握るハンドルとしてのハンドグリップ１０９が連接されている。
【００２２】
なお、本実施形態では、便宜上、ハンマビット１１９の長軸方向、すなわち本体部１０１の長軸方向に関して、ハンマビット１１９側を、「前側」ないし「前方側」として規定し、ハンドグリップ１０９側を、「後側」ないし「後方側」として規定する。また、図１中の紙面上方を、「上側」ないし「上方側」と規定し、紙面下方を、「下側」ないし「下方側」と規定する。
【００２３】
電動モータ１１０の回転は、斜板が揺動するスワッシュ機構を主体として構成される運動変換機構１２０によって直線運動に適宜変換された上で打撃要素１４０に伝達され、当該打撃要素１４０を介してハンマビット１１９の長軸方向（図１における左右方向）への衝撃力を発生する。また、電動モータの回転は、複数のギアを主体として構成される動力伝達機構１５０よって適宜減速された上で最終軸としてのツールホルダ１５９を介してハンマビット１１９に伝達され、当該ハンマビット１１９が周方向に回転される。なお、電動モータはハンドグリップ１０９に配置されたトリガ１０９ａを作業者が引き操作することによって通電駆動される。なお、トリガ１０９ａは、引き操作される初期位置に向けてばね付勢されている。
【００２４】
打撃要素１４０は、運動変換機構１２０の１つの構成部材である筒状ピストン１２７のボア内壁に摺動自在に配置された打撃子としてのストライカ１４３と、ツールホルダ１５９に摺動自在に配置された中間子としてのインパクトボルト１４５とを主体として構成される。ストライカ１４３は、筒状ピストン１２７の摺動に伴う空気室の空気バネ（圧力変動）を介して駆動され、インパクトボルト１４５に衝突（打撃）し、当該インパクトボルト１４５を介してハンマビット１１９に打撃力を伝達する。
【００２５】
なお、ハンマドリル１００は、作業者によるモード切替部材の操作により、少なくともハンマビット１１９に対し長軸方向への打撃力のみを加えて被加工材にハツリ作業を行うハンマモードと、長軸方向への打撃力と周方向への回転力とを加えて被加工材に穴開け作業を行うハンマドリルモードとの間で切替可能とされている。
【００２６】
また、ハンドグリップ１０９は、ハンマビット１１９の長軸方向と交差する上下方向に延在するとともに、その上端部と下端部が本体部１０１に連接され、これによりループ状ハンドル（Ｄ形ハンドル）を構成している。ハンドグリップ１０９の下端部には、バッテリ装着部１０９Ａが形成され、当該バッテリ装着部１０９Ａには、電動モータ１１０および後述する集塵モータ２１０等の電源となる充電式のバッテリパック１１１が着脱自在に装着されている。
【００２７】
次に上記のように構成されたハンマドリル１００に取付けられ、被加工材（例えば、コンクリート）に対する穴明け作業時に発生する粉塵を吸引して集塵する穴明け作業用の集塵装置２００につき、主として図２〜図６を参照しつつ説明する。
【００２８】
本実施の形態に係る集塵装置２００は、集塵装置本体２０１、粉塵吸引部２０３、粉塵移送部２０５を主体として構成される。この集塵装置本体２０１が、本発明における「集塵本体部」に対応し、粉塵吸引部２０３が、本発明における「集塵部」に対応し、粉塵移送部２０５が、本発明における「連結部」に対応する。
【００２９】
集塵装置本体２０１は、図５に示すように、集塵用動力源としての集塵モータ２１０および集塵ファン２１３を収容するとともに、集塵容器２１５が着脱自在に装着されるハウジングを主体として構成されている。集塵モータ２１０が、本発明における「モータ」に対応する。集塵装置本体２０１は、便宜上具体的な構成については省略するが、ハンマドリル１００の本体部１０１の前方から後方に向かって移動させることによって、図１に示すように、当該本体部１０１の前面下部領域のアタッチメント装着部に対して取り外し可能に装着される。
【００３０】
粉塵吸引部２０３は、前方が粉塵の吸塵口２２１ａとして開口された吸引筒部２２１と、吸引筒部２２１からハンマビット１１９の長軸方向と交差する下方に延在する中空の吸引本体部２２３を主体として構成されている。吸引筒部２２１は、集塵装置２００がハンマドリル１００に装着された状態では、後方のゴムカバー２２５を貫通して前方の吸塵口２２１ａへと延在するハンマビット１１９の先端部分の長軸方向周りを所定の間隔を置いて包囲する粉塵吸引部材として備えられ、加工作業時に先端が被加工材に押し付けられる構成とされる。
【００３１】
粉塵移送部２０５は、ハンマビット１１９の長軸方向に並行して延在するとともに、当該延在方向に伸縮自在な伸縮筒状部材２３１と、弾性変形による伸縮自在な蛇腹状のホース２３３とを主体として構成される。伸縮筒状部材２３１は、長軸方向に相対摺動可能に嵌合する可動筒体２３１Ａと固定筒体２３１Ｂからなり、可動筒体２３１Ａの前端が粉塵吸引部２０３に連結される。固定筒体２３１Ｂは、集塵装置本体２０１の一部として当該集塵装置本体２０１に一体に形成されている。すなわち、粉塵吸引部２０３は、集塵装置本体２０１に対し粉塵移送部２０５を介してハンマビット１１９の長軸方向に移動可能に連結されている。これにより、粉塵吸引部２０３は、ハンマビット１１９の長軸方向に移動可能とされる。このハンマビット１１９の長軸方向が、本発明における「第１方向」に対応し、ハンマビット１１９の長軸方向に直交する上下方向が、本発明における「第２方向」に対応する。
【００３２】
蛇腹状のホース２３３は、その前端が吸引本体部２２３の後端開口部に接続され、後端側が固定筒体２３１Ｂに固定されるとともに、後端が集塵容器２１５の室内に開口している。粉塵移送部２０５は、後方に向けて外力が作用していない状態では、蛇腹状のホース２３３の弾性力で最大伸長状態（初期状態）に保持される。
【００３３】
上記のように構成される粉塵移送部２０５は、粉塵吸引部２０３の吸引筒部２２１がハンマビット１１９と共に被加工材に押し当てられた状態でハンマビット１１９による被加工材に対する穴明け作業が行なわれると、作業の進行、すなわちハンマビット１１９の被加工材内部への進入に伴い被加工材に押し当てられている粉塵吸引部２０３が当該被加工材で押されて後退することに応じて縮小することになる。
【００３４】
集塵装置本体２０１は、粉塵移送部２０５の後端部から下方へと直線状に延在する垂直領域と、当該垂直領域の下端部から後方へと延在する水平領域を有する。垂直領域のうちの下部は、集塵容器２１５が装着される容器装着部２０１Ａとして備えられ、水平領域は、集塵モータ２１０および集塵ファン２１３を収容するモータ収容部２０１Ｂとして備えられる。
【００３５】
集塵モータ２１０は、回転軸方向がハンマビット１１９の長軸方向（粉塵移送部２０５の長軸方向）と平行となるようにモータ収容部２０１Ｂ内に配置されており、その前方に配置された集塵ファン２１３を回転駆動することで集塵容器２１５内に吸引力を発生させる。この吸引力は、粉塵移送部２０５のホース２３３を経て粉塵吸引部２０３に作用する。加工作業時に発生した粉塵は、粉塵吸引部２０３の吸引筒部２２１の吸塵口から吸引されるとともに、粉塵移送部２０５のホース２３３内を通って集塵容器２１５に集塵される。
【００３６】
集塵容器２１５は、略方形の箱形に形成され、集塵装置本体２０１における容器装着部２０１Ａに着脱自在に装着されて粉塵移送部２０５の後側下方領域に配置される。集塵容器２１５内には、集塵ファン２１３と近接する位置に粉塵フィルター２１７が収容されている。
【００３７】
集塵装置２００は、穴明け作業時に所定の作業領域を照らすための照明装置２４０を備えている。本実施形態の照明装置２４０は、図７〜図１０に示すように、左右各１個の照光体２４１をカバー部材２４５により互いに連結したアッセンブリ構造体として構成されている。左右各１個の照光体２４１は、便宜上、図示を省略する光源としての、例えば発光ダイオードと、発光ダイオードを収容する光源収容部としてのライトケース２４３を主体として構成されており、左右のライトケース２４３がカバー部材２４５により連結されることでアッセンブリ化されている。このカバー部材２４５が、本発明における「連結部材」に対応する。カバー部材２４５は、配線の取り回し等を考慮した略Ｕ字形の中空部材により構成されており、左右の端部に照光体２４１が固定された構成とされる。
【００３８】
上記のように構成される照明装置２４０は、図５および図６に示すように、集塵装置２００における粉塵吸引部２０３の後方であって、集塵装置本体２０１の垂直領域のうちの上側内部に収容される。すなわち、照明装置２４０は、集塵装置本体２０１を構成するハウジングの内側に収容され、且つ当該ハウジング設けられたリブ等によって支持されるように構成される。このとき、左右の照光体２４１は、集塵装置２００の左右両側部に位置するように配置される。
【００３９】
ライトケース２４３は、照明装置２４０が集塵装置本体２０１に配置された状態で、発光ダイオードの光を前方に向かって照射するための照射口２４３ａ（図７参照）を有しており、少なくともこの照射口２４３ａが光の透過を可能とする透明樹脂やガラス等の透光材料によって形成されている。この照射口２４３ａが、本発明における「照光部」および「照光要素」に対応する。集塵装置本体２０１は、ライトケース２４３の照射口２４３ａと対向する部位に開口２４７を有し、この開口２４７を通して発光ダイオードの光が照射される構成とされる。
【００４０】
左右の照光体２４１は、それぞれの照射光路が粉塵吸引部２０３を挟むように集塵装置本体２０１の左右に配置される。図２および図３に発光ダイオードから照射される光の照射光路を符号Ｌで示している。本実施形態では、上下方向に関して、粉塵吸引部２０３が集塵装置本体２０１よりも上方に位置している。このため、左右の照光体２４１の発光ダイオードから照射される光が粉塵吸引部２０３の側方を通って前方に向かうように設定されている。
【００４１】
すなわち、照明装置２４０は、ハンマドリル１００による穴明け作業時において、集塵装置本体２０１から見て、粉塵吸引部２０３が最も前方に置かれる粉塵移送部２０５の最大伸長状態において、発光ダイオードの光を前方斜め上に向けて照射し、粉塵吸引部２０３を含むハンマビット１１９のビット先端部分の周辺、当該ビット先端部分が当接される被加工材の加工対象箇所等を含む作業領域を照らすように構成されている。
【００４２】
本実施形態では、電動モータ１１０を通電駆動するべくトリガ１０９ａが引き操作されたとき、バッテリパック１１１から電力が供給されて電動モータ１１０および集塵モータ２１０が駆動されるとともに、照明装置２４０の発光ダイオードが点灯されるように構成される。図１１には電動モータ１１０、集塵モータ２１０および照明装置２４０を制御する電気回路がブロック図として示される。図示のように、トリガ１０９ａによって操作されるスイッチ１６１が電動モータ１１０を制御する本体部側コントローラ１６３と配線１６５で接続され、集塵モータ２１０および照明装置２４０を制御するアタッチメント側コントローラ２５０が本体部側コントローラ１６３とコネクタ１６７を介して配線１６８，１６９で接続されている。そして、作業者によるトリガ１０９ａの引き操作によりスイッチ１６１が常時のオフ状態からオン状態に切り替えられると、当該スイッチ１６１のオン信号に基づき、本体部側コントローラ１６３が電動モータ１１０を通電駆動し、アタッチメント側コントローラ２５０が集塵モータ２１０を通電駆動し、かつ照明装置２４０の発光ダイオードを点灯させるように構成されている。
【００４３】
本実施形態においては、トリガ１０９ａにより操作されるスイッチ１６１は、便宜上、具体的図示を省略するが、モータ用スイッチ部と照明装置用スイッチ部を有する構成とされる。そして、トリガ１０９ａの引き操作のストローク途中で照明装置用スイッチ部がオン状態とされ、その後トリガ１０９ａが更に所定量だけ引き操作されたときに照明装置用スイッチ部のオン状態を維持しつつモータ用スイッチ部がオン状態とされるように構成されている。このような構成とすることにより、作業者はハンマドリル１００の駆動に先行して、照明装置２４０の照光体２４１の発光ダイオードを点灯させ、被加工材の穴明け位置および被加工材に押し付けられたハンマビット１１９の先端位置を確認して位置決め後、電動モータ１１０および集塵モータ２１０を通電駆動して穴明け作業を遂行することができる。
【００４４】
また、本体部側の配線１６８とアタッチメント側の配線１６９とを接続するコネクタ１６７は、本体部側のコネクタ１６７Ａと集塵装置側のコネクタ１６７Ｂからなり、集塵装置２００をハンマドリル１００に装着したときに、本体部側のコネクタ１６７Ａと集塵装置側のコネクタ１６７Ｂが係合し、本体部側の配線１６８とアタッチメント側の配線１６９を電気的に接続するように構成されている。
【００４５】
本実施形態の集塵装置２００は、上記のように構成されており、ハンマドリル１００により穴明け作業を行う場合にハンマドリル１００に装着される。作業者がトリガ１０９ａを引き操作すると、当該引き操作の途中において、照明装置２４０の発光ダイオードが点灯する。従って、作業者は照明装置２４０の光の照射によりハンマビット１１９のビット先端部分および被加工材の作業位置等を確認し、ハンマビット１１９の位置決め後、トリガ１０９ａを更に所定量引き操作し、電動モータ１１０および集塵モータ２１０を通電駆動して穴明け作業を遂行することができる。穴明け作業によって生じた粉塵は、吸塵口２２１ａを通じて粉塵吸引部２０３内に吸引されるとともに、当該粉塵吸引部２０３から粉塵移送部２０５を経て集塵容器２１５に集塵される。
【００４６】
穴明け作業の終了後、作業者がトリガ１０９ａの引き操作を解除すれば、スイッチ１６１がオフ状態とされ、電動モータ１１０および集塵モータ２１０が停止され、照明装置２４０の照光体２４１の発光ダイオードが消灯される。このとき、本実施形態では、トリガ１０９ａの戻り動作の途中でモータ用スイッチ部がオフ状態とされ、その後所定時間経過してトリガ１０９ａが初期位置に戻ったときに照明装置用スイッチ部が遅れてオフ状態とされる構成である。このため、電動モータ１１０および集塵モータ２１０の停止後、照光体２４１の点灯をしばらく維持し、作業結果を確認することができる。
【００４７】
本実施形態の照明装置２００は、穴明け作業時に作業領域を照らす照光体２４１を、粉塵吸引部２０３よりも後方で、集塵装置本体２０１の左右の外側、すなわち外表面に設けている。ハンマビット１１９の長軸方向と交差する方向の集塵装置本体２０１の幅、すなわち横幅は、粉塵吸引部２０３の横幅よりも大きい。このため、ハンマドリル１００に集塵装置２００を装着して穴明け作業を行う場合において、照光体２４１からの光を、作業の開始から終了までの間にわたって粉塵吸引部２０３の側方を通って作業領域に照射することが可能となる。これにより穴明け作業の作業性を向上することができる。
【００４８】
また、本実施形態によれば、集塵装置本体２０１の左右の側面にそれぞれ照光体２４１を配置し、粉塵吸引部２０３の側方を通って作業領域を照らす構成としたので、粉塵集塵部２０３の影を減少することが可能となり、作業領域に関する照光体２４１による照射範囲を拡大し、あるいは作業領域を一層明るくすることが可能となる。
【００４９】
また、本実施形態の照明装置２４０は、左右の照光体２４１をカバー部材２４５により相互に連結したアッセンブリ構造体として構成されている。このため、集塵装置本体２０１への組付けを容易に行うことができる。また、照明装置２４０は、集塵装置本体２０１を構成するハウジングの内側に収容され、照光体２４１からの光を照射する照射口２４３ａ以外の領域がハウジングで覆われている。このため、例えばハンマドリル１００を落下したとき、照明装置２４０の地面等との衝突を回避できる。
【００５０】
本実施形態によれば、電動モータ１１０の操作部材であるトリガ１０９ａの操作に連動して照光体２４１が点灯、消灯する構成のため、電動モータ１１０の操作と照光体２４１の操作を個別的に行う構成に比べて操作がし易く、しかも照光部の点灯、消灯のための専用操作部材が不要となる。
【００５１】
また、本実施形態に係る吸塵アタッチメント２００は、粉塵吸引用の動力源である集塵モータ２１０、集塵ファン２１３および粉塵を収容する集塵容器２１５を備えている。このため、コードレス構造のバッテリ式のハンマドリル１００の長所である、ハンマドリル１０１の移動性を損なうことがない。
【００５２】
なお、本実施形態では、照光体２４１が電動モータ１１０および集塵モータ２１０の駆動に先行して点灯可能に構成したが、電動モータ１１０および集塵モータ２１０の駆動と同時に点灯するように構成してもよい。また、照光体２４１が電動モータ１１０および集塵モータ２１０の停止した後、遅れて消灯可能に構成したが、電動モータ１１０および集塵モータ２１０の停止と同時に消灯できるように構成してもよい。
【００５３】
また、電動モータ１１０および集塵モータ２１０の駆動に先行して照光体２４１を点灯させる手段、および電動モータ１１０および集塵モータ２１０が停止した後、照光体２４１を遅れて消灯する手段については、例えば、位置センサを用いてトリガ１０９ａの位置を検知し、当該検知信号に基づき照光体２４１の点灯、消灯を制御するように構成することも可能である。
【００５４】
また、本実施形態では、照光体２４１を集塵装置本体２０１の外面に設けたが、集塵装置本体２０１に限定されるものではなく、例えば伸縮筒状部材２３１のうちの固定筒部２３１Ｂの外面に設けてもよい。また、照光体２４１は、複数設けるとしたが、単一であっても構わない。また、本実施形態では、照光体２４１が集塵装置本体２０１の外面に突出しない構成としているが、外側に突出する形態で設けてもよい。
【００５５】
また、本実施形態では、トリガ１０９ａの操作に連動して照光体２４１を点灯および消灯する構成としたが、トリガ１０９ａとは別に照光体２４１を消灯および点灯するためのスイッチを設けてもよい。また、本実施形態では、照明装置２４０の光源を発光ダイオードで構成される場合で説明したが、発光ダイオードに限られない。例えば、白熱電球や蛍光灯を用いてもよい。
【００５６】
また、本実施形態では、吸塵アタッチメント２００が、粉塵吸引用の動力源である集塵モータ２１０、集塵ファン２１３および粉塵を収容する集塵容器２１５を備える構成としたが、ハンマドリル１００の電動モータ１１０を駆動源として粉塵吸引用の吸引力を発生させる構成であっても差し支えない。
【００５７】
また、本実施形態は、作業工具の一例としてハンマドリルの場合で説明したが、ハンマドリルに限定されるものではなく、ハンマビット１１９が打撃動作のみを行なうハンマに適用してもよいし、ハンマドリルやハンマのような打撃工具以外であっても、加工作業時に発生する粉塵を集塵するための集塵装置が装着可能とされた構成の作業工具であれば、適用してもよい。
【００５８】
（実施形態の各構成要素と本発明の構成要素との対応関係）
本実施形態における各構成要素と、本発明における構成要素との発明特定事項との関係は、以下のとおりである。もちろん、本実施形態における各構成要素は、対応する本発明の特定事項に関する一つの実施構成例に過ぎず、本発明の各構成要素はこれに限定されるものではない。
ハンマドリル１００が、本発明の「作業工具」に対応する構成の一例である。
ハンマビット１１９が、本発明の「先端工具」に対応する構成の一例である。
ハンマビット１１９の長軸方向が、本発明における「第１方向」に対応する
粉塵吸引部２０３が、本発明の「集塵部」に対応する構成の一例である。
集塵装置本体部２０１が、本発明の「集塵本体部」に対応する構成の一例である。
粉塵移送部２０５が、本発明の「連結部」に対応する構成の一例である。
集塵容器２１５が、本発明の「粉塵収容部」に対応する構成の一例である。
集塵モータ２１０が、本発明の「モータ」に対応する構成の一例である。
照射口２４３ａが、本発明の「照光部」および「照光要素」に対応する構成の一例である。
カバー部材２４５が、本発明の「連結部材」に対応する構成の一例である。
【符号の説明】
【００５９】
１００  ハンマドリル（作業工具）
１０１  本体部
１０３  モータハウジング
１０５  ギアハウジング
１０９  ハンドグリップ
１０９Ａ  バッテリ装着部
１０９ａ  トリガ
１１０  電動モータ
１１１  バッテリパック
１１９  ハンマビット（先端工具）
１２０  運動変換機構
１２７  筒状ピストン
１４０  打撃要素
１４３  ストライカ
１４５  インパクトボルト
１５０  動力伝達機構
１５９  ツールホルダ
１６１  スイッチ
１６３  本体部側コントローラ
１６５  配線
１６７  コネクタ
１６７Ａ  本体部側コネクタ
１６７Ｂ  集塵側コネクタ
１６８  本体部側の配線
１６９  集塵側の配線
２００  集塵装置
２０１  集塵装置本体（集塵本体部）
２０１Ａ  容器装着部
２０１Ｂ  モータ収容部
２０３  粉塵吸引部（集塵部）
２０５  粉塵移送部（連結部）
２１０  集塵モータ（モータ）
２１３  集塵ファン
２１５  集塵容器
２１７  粉塵フィルター
２２１  吸引筒部
２２１ａ  吸引口
２２３  吸引本体部
２２５  ゴムカバー
２３１  伸縮筒状部材
２３１Ａ  可動筒部
２３１Ｂ  固定筒部
２３３  ホース
２４０  照明装置
２４１  照光体
２４３  ライトケース
２４３ａ  照射口（照光部および照光要素）
２４５  カバー部材（連結部材）
２４７  開口
２５０  集塵側コントローラ
【図１】
2014231128.tif 000003
【図２】
2014231128.tif 000004
【図３】
2014231128.tif 000005
【図４】
2014231128.tif 000006
【図５】
2014231128.tif 000007
【図６】
2014231128.tif 000008
【図７】
2014231128.tif 000009
【図８】
2014231128.tif 000010
【図９】
2014231128.tif 000011
【図１０】
2014231128.tif 000012
【図１１】
2014231128.tif 000013